(57)【特許請求の範囲】
【請求項１】
眼鏡をかける人の鼻ばしらに係合するようになった支持要素を備えた眼鏡において、前記眼鏡は、前記支持要素が取り付けられるアイレット（eyelet）を有し、前記支持要素は拡大ヘッドを有するシャンク（shank）に固定された弾性材料のパッドを有し、前記シャンクは弾性材料を含み、アイレットの中に導入され、かつアイレットによって保持されるようになっており、前記眼鏡は更に、前記シャンクの少なくとも一部の中に固いコアを与えるために、ヘッド端部から前記シャンクの中に軸線方向に挿入されるペグ（peg）を有する、前記眼鏡。
【請求項２】
前記シャンクが、前記ペグを受け入れるようになった逆すぼまり（countersunk）ボアを有することを特徴とする、請求項１に記載の眼鏡。
【請求項３】
前記ペグが、先が細くなった前端部分と、前記ペグを前記シャンクに保持するために、前記前端部分に隣接する保持手段と、を有することを特徴とする、請求項１に記載の眼鏡。
【請求項４】
前記ペグが、前記拡大ヘッドのコア部分を拡張するための、基端側の広くなったベース端部分を有することを特徴とする、請求項１に記載の眼鏡。
【請求項５】
前記アイレットが、１片の湾曲された弾性ワイヤーで構成され、前記シャンクを挿入するための縮小した横開口部が形成されていることを特徴とする、請求項１に記載の眼鏡。
【請求項６】
請求項１記載の眼鏡に使用されるペグを有するブランク（blank）であって、先が細くなった前端部分及び広くなったベース端部分を有し、前記シャンクに挿入されるだぼと、このだぼを前記支持要素に取り付ける際にペグを操作するために使用される操作部分と、を有し、前記操作部分は前記ベース端部分によって前記だぼに結合され、かつ前記操作部分から前記だぼへの移行部を構成する切り欠きが設けられている、前記ブランク。
【請求項７】
前記操作部分が２つのだぼと結合されることを特徴とする、請求項６に記載のブランク。
【請求項８】
眼鏡に、眼鏡フレームに連結されたアイレットを設ける段階と、
眼鏡をかける人の鼻ばしらに係合するようになった支持要素が、拡大ヘッドを有するシャンクに固定されたパッドを有し、前記アイレットの中に前記シャンクを挿入することによって前記フレームに弾性材料製の前記支持要素を取付ける段階と、
前記シャンクの少なくとも一部の中に固いコアを提供するようになったペグを、前記拡大ヘッドの端部から前記シャンクの中に軸線方向に打込む段階と、を有する、眼鏡の製造方法。
【請求項９】
ヘッド端部から前記シャンクの中に軸線方向の逆すぼまりボアを設けて、前記ペグを受け入れ可能にする段階を有することを特徴とする、請求項８に記載の方法。
【請求項１０】
請求項６に記載のブランクを製造する方法であって、ブランクを型内で射出成形する段階を有し、前記型は、すぼまった移行領域を介してペグに連結された前記操作部分に型の入口部分が形成されていることを特徴とするブランクの製造方法。
【発明の詳細な説明】
本発明は、眼鏡をかける人の顔の一部に係合するようになった支持要素を有する眼鏡に関する。本発明は更に、かかる支持要素の一部を形成するブランク、及び眼鏡の製造方法に関する。
眼鏡は、ここで使用したように、使用者の眼の前にかけてガラスを通して見ることができるようにした、２枚のガラスレンズ又は他の屈折材料若しくは色付材料レンズと、使用者が夫々のレンズを通して両眼で平行な視線で真っ直ぐ前方を見ることができる好ましい使用位置に適宜固定されたレンズ又はガラスを保持するように構成された形態のサポート又は眼鏡フレームと、を実質的に有する良く知られたものを意味する。
眼鏡の重量を支持する機能、及び使用者の頭に対して比較的安定した位置を確保する機能の両方を果たすために、支持要素は通常、眼鏡をかける人の顔の１又はそれ以上の部分に係合するように、典型的には鼻ばしらの側面に係合するようになっている。支持要素は眼鏡フレームそのものの一部、ガラスの縁の一部から構成されても良く、或いは眼鏡フレーム又はガラスに固定された専用の別の要素から構成されても良い。
本発明は、支持要素が、できるだけ使用者を快適にするために選択された、特に弾性的な、ショックを吸収する材料のパッドを有する眼鏡に関する。この設計では、一般に眼鏡フレームは鼻ばしらに接触せず、眼鏡フレームそのものの大きさを最小にすることができ、その結果、全体として眼鏡の重量を最小に保つ。
この技術分野では、鼻ばしらの夫々の側に係合する２つの支持要素を有する、チタンを含む軽量合金ワイヤーの眼鏡フレームを構成し、各支持要素は拡大ヘッドを有するシャンク（shank）と一体のパッドを有し、該パッドは拡大ヘッドを有する前記シャンクを眼鏡フレームの対応するアイレット（eyelet）の中に挿入することによって固定されることが知られている。従来技術の眼鏡では、アイレットは横開口部を有する湾曲した形態にしたワイヤーからなる。横開口部は狭いので、挿入するときは支持要素を弾性変形させ、その後は支持要素を保持する。アイレットは支持要素を、外力が加わったとき弾性的に傾斜することができるように支持し、それにより、これら眼鏡のかけ心地を良くする。
しかしながら、この従来技術の解決法では、支持要素の１つに加わった偶発的な衝撃力によって、支持要素が紛失する危険を伴って、アイレットの横開口部を通って外れてしまうかもしれない。従来技術の眼鏡では、横アイレット開口部を締め付けるようにワイヤーを変形させることによって、保持を強めることができる。しかしながら、支持要素を取り替える必要が時々あるかもしれず、各取り換え作業に伴いアイレットを形成するワイヤーを変形させる方法は、早晩、ワイヤーの構造特性を劣化させる危険を伴う。
本発明の見地によれば、請求項１に定めるように眼鏡を提供する。これらの眼鏡では、パッドを保持するようになったアイレットを横方向開口部にすることも、或いは実質的に閉じた開口部にすることもできるので、支持要素のシャンクはアイレットの中を軸線方向に通るように挿入される。一度、シャンクをアイレットの中に導入し、ペグ（peg）をアイレットの反対側からシャンクの中に軸線方向に挿入する。ペグはシャンク及びシャンクのヘッドの如何なるつぶれにも抵抗し、それにより、アイレット内でのシャンクの固定を確実にする。
これらの眼鏡は、支持要素の柔軟性及び傾斜可能性によってもたらされる快適さを損なうことなく、支持要素の優れた保持を提供する。
有利な実施形態によれば、シャンクはペグを受け入れるための逆すぼまり（countersunk）ボアを有する。ペグが挿入されない限りは、ボアはシャンクを圧縮することを可能にするので、従って、支持要素を、従来技術の場合の横開口部よりも狭い、縮小した横開口部を有するアイレットの中に導入することができる。狭い横開口部は、一旦、ペグが挿入された支持要素の保持を本質的に強化する。
有利な実施形態によれば、ペグは、シャンク内に保持されるように、先が細くなった前端部分と、前記前端部分に隣接した膨らみ又はビード（bead）のような保持手段とを有する。保持手段はペグの断面を拡大させ、従って、有利には、保持手段がアイレットのパッドに隣接する側に位置するシャンクの部分に作用するように、保持手段をペグの前端部分に隣接して配置すべきである。かくして、ペグのシャンクとの強い環状係合によって、アイレットはペグを固定する。
先が細くなった前端部分及び保持手段は、有利には、さもなければシャンクの中にクラックを発生させるかもしれない如何なる尖った縁をも回避するために丸くされる。
有利な実施形態によれば、ペグは、広くなったコア部分を前記拡大ヘッドの中に与えるようになった、広くなったベース端部分を有する。これにより、アイレット内で支持要素の補強された固定を行なう。
本発明の別の見地では、請求項６に定めたようなブランク（blank）が提供される。
このブランクは、上記のように、有利には眼鏡の支持要素を固定するのに使用することができる。ブランクはペグの取付中、ペグを操作するために使用される操作部分を有する。支持要素にだぼ（dowel）を導入した後、操作部分をポキンと折って移行領域で切断し、ペグを構成するだぼ部分を残す。操作部分は、ペグを形成する微小物品を操作するための便利な道具を提供し、偶発的に微小品目を紛失する危険を回避させる。ブランクは、有利には射出成形に適した透明プラスチック材料、例えば、ポリカーボネート又はポリアミドからなる。射出成形工程に現れる湯口、すなわち型入口部分は、有利には操作部分を提供する。
有利な実施形態によれば、１つの操作部分は２つのだぼと一体をなす。このことは材料を節約し、この構成は、ペグが通常一対で必要とされる点で有利である。
本発明の更なる見地によれば、請求項８に定めるような方法が提供される。この方法は、非常に有利な形態の眼鏡の容易な組立てを提供する。
この方法の有利な実施形態は方法の従属請求項に定められている。
本発明の更なる特徴及び利点は、図面の参照を伴って、以下の詳細な説明から明らかになるだろう。
図１は本発明による眼鏡の正面図である。
図２は、眼鏡の中央平面で断面をとった眼鏡の側断面図である。
図３は支持要素及びそれに隣接するフレームの部分を拡大スケールで示す。
図４は、ペグ挿入の準備のできた、アイレットに導入された支持要素の側面図である。
図５は本発明によるブランクの側面図である。
図６は拡大スケールで描いた、図５の詳細を示す。
図７は、ペグ取付段階における、支持要素及びフレームの隣接した部分の側面図を示す。
図は全て概略図であり、必ずしも一定の比率で描かれてはおらず、本発明の理解に必要と思われる詳細のみを示し、他の詳細は省略されている。全ての図は、同一又は類似の部品について同じ参照番号を使用している。
まず、本発明による眼鏡１を正面図及び側断面図で夫々示す図１及び２を参照する。これらの眼鏡は種々の部品を有し、該部品は、一般に、レンズと、眼鏡のつるバーのヒンジと、２つの支持要素７とを保持するための手段を与える眼鏡フレーム２によって結合される。眼鏡フレーム２は、好ましい実施形態では、この目的に良く適合することが分かっているチタン合金ワイヤーのような、弾性金属ワイヤー３によって実質的に形成される。支持要素７は、弾性シリコンゴムの小片を適当に取付けることによって適切に設けられる。
ここで、眼鏡をかける人の顔の部分に係合するようにした支持要素の夫々、拡大平面図及び拡大側面図である図３及び４を参照する。図３及び４は又、支持要素を保持するようにしている、横開口部５を有するアイレット４を設けるためにワイヤー３を適当に形成することによって得られる眼鏡フレームの一部を示す。支持要素７は、使用者の顔の部分に係合するようになった接触面９を提供する、実質的に平面で、ほぼ回転対称のノーズパッド８を適宜有する。パッド８は、反対側では、拡大ヘッド１１で終わるシャンク１０に固定される。シャンク及びヘッドは、支持要素がアイレットによって保持されるように配置される。
支持要素７はヘッド１１及びシャンク１０を通るボア１２を有する。ボアは、ほぼ円筒形の部分を有し、底が広くなっていて、かつヘッド１１に配置された口の部分に広くなった凹所がある、非貫通穴を形成する。
ここで、ペグ１３を説明するための図５及び６を参照する。ペグ１３はポリカーボネート又はポリアミドのようなプラスチック材料の射出成形によって製造される。図５は広くなった端部分を有する細長形態の部品に成形されたブランク２０を示し、射出成形工程によって型入口部分１９は最も大きい部分を構成し、夫々の（図５及び６で上方向に尖った）枝スプルー１８及び夫々のすぼまった移行領域（図６参照）を通り、適宜、ペグ１３につながるバー状のボディーを有する。ペグは、先が細くなった概ね円錐形の、後方に向いた周囲の保持部分１５を有する先端部１４を有するだぼ状要素である。ペグは、すぼまった移行領域に隣接して、広くなった円形ベース端部分１６を有する。
ここで、眼鏡の残部分に対する支持要素の取付を簡単に説明するために、図７を参照する。横開口部を通して支持要素のシャンクをアイレット４に（図３及び４に示した位置に）挿入した後、ペグはボア１２の中に打込まれ、ブランク２０は、この操作中、型入口部分１９によって操作される。挿入の段階で、広くなった保持部分１５は支持要素の弾性材料を、図７に部分的に示すように、弾性的に拡張する。挿入は、ベース端部分１６がボアの広くなった凹所に係合するまで続ける。型入口部分１９をポキンと折り、ボア内にペグを残して移行領域１７でだぼを切断し、取付が完了する。
取付位置では、ペグは支持要素のシャンク１０の少なくとも一部で、固いコア又は内部の基幹をなし、それにより支持要素を、偶発的に引き抜かれる如何なる可能性も無くアイレットによって保持することができる。
しかしながら、例えば、取り替えのために支持要素を取外すことが必要になったときは、ボアのペグ１３をもぎ取ることによって取外すことができ、その後、シャンク１０をアイレットの横開口部から引き抜くことができる。
本発明を示すために、具体的な実施形態を上記に説明してきたが、これら実施形態は、請求項の範囲内で多くの仕方で変更することができる本発明を決して限定するものではない。
【図１】
0004157165.tif 000002
【図２】
0004157165.tif 000003
【図３】
0004157165.tif 000004
【図４】
0004157165.tif 000005
【図５】
0004157165.tif 000006
【図６】
0004157165.tif 000007
【図７】
0004157165.tif 000008